(57)【要約】【課題】簡単な形状で、首の部分が喉の方へ反った人間の自然体の骨の形状の状態で寝ることができ、イビキの防止や快適な睡眠ができ、むち打ち症や頸椎の痛み等の首部傷害の痛みやしびれを寝ている間に軽減させることができる枕を提供する。【解決手段】頂部が弧状の凸条の凸条部に形成された首部載置部と、首部載置部の人体の上下方向で両側に配置された平坦部とから構成し、前記首部載置部は高反発性の材料から形成し、前記平坦部は低反発性の材料から形成し、前記凸条部と前記平坦部の長さはそれぞれ８０〜１３０ｍｍと８０〜１２０ｍｍとした。【選択図】図１
2014151176.tif 000002
【特許請求の範囲】
【請求項１】
首を支える首部載置部を高反発性の材料で構成し、該首部載置部の頂部を弧状に形成したことを特徴とするイビキ防止と不眠改善枕。
【請求項２】
前記首部載置部は凸条をした凸条部に形成し、該凸条部の人体の上下方向に配置された平坦部を備え、前記平坦部は低反発性の材料から形成したことを特徴とするイビキ防止と不眠改善枕。
【請求項３】
前記凸条部と前記平坦部の人体の上下方向にとった長さは、それぞれ８０〜１３０ｍｍと８０〜１２０ｍｍとしたことを特徴とする請求項１に記載のイビキ防止と不眠改善枕。
【請求項４】
前記凸条部の高さを８０〜１５０ｍｍとし、前記平坦部の厚さを３０〜７０ｍｍとし、前記凸条部を挟んだ前記平坦部の厚さの差を０〜４０ｍｍとしたことを特徴とする請求項１又は２に記載のイビキ防止と不眠改善枕。
【発明の詳細な説明】
【技術分野】
【０００１】  本発明はイビキ防止と不眠改善枕に関し、首の骨が反った自然体の綺麗な姿勢で寝ることができるようにして快適な睡眠を取ることができるようにしたイビキ防止と不眠改善枕に関する。
【背景技術】
【０００２】  枕は快適な睡眠を取るために必要とされる。快適な睡眠をとるために用いられる枕としては、種々の物性、素材、形状のものがその触感や硬さなどの好みに応じて用いられている。例えば、蕎麦がら、籾殻、小豆、羽毛、発泡天然ゴム、木材等の天然の材料を使用したものから、ウレタンフォーム、プラスチックの小さなパイプ、プラスチックスポンジ等の合成樹脂材料、陶器等を使用したものがある。反発性の高低や硬軟で分類される素材の１つの軟質ウレタンフォームの枕が、比較的やわらかい感触でクッション性に優れていることから多く用いられている。【０００３】  むち打ち症や神経圧迫症状としての首部の疼痛や激痛で眠ることができず苦しんでいる人は多い。これらの痛みは、頸椎、胸椎のずれや不整合で発生したり、寝ている間の姿勢により、頸椎、胸椎、腰椎が微妙に変化し、発症することもあるといわれる。また、寝ている姿勢により肩こりがひどくなったり、無呼吸になったりするともいわれている。通常、痛みの対処法としては、先ず医学的治療がなされるが、医学的治療と併行して日常の生活での保存療法的な補助用具を用いる治療も行われる。補助用具として、各種コルセットや首部痛ベルト等が使用される。また、枕は、神経圧迫症状の保存療法的な補助用具としても用いられることがある。【０００４】  いろいろなものが存在する枕の中で、就寝時に頸や背中に負担がかからず体形にフィットした自然な状態で就寝することの出来る枕が提案されている（例えば、特許文献１）。【０００５】  特許文献１の枕は、連続して設けた頭部支え部、勁部支え部、肩支え部よりなっている。頭部支え部は後頭部受けと側頭部受けとよりなり、後頭部受けは頭部支え部中央にその両側に位置する側頭部受けよりも低い凹嵌部を形成している。勁部支え部は、前記側頭部受けよりも高く幅方向に伸びる頂部、及び、該頂部から、頸部支え部に隣接する肩支え部に至る曲面もしくは平面よりなる斜面を有している。肩支え部は、前記勁部支え部の斜面に続いて展開する平板状体としている。【０００６】  特許文献１の枕は、後頭部から肩に掛けての人体の輪郭線に沿い体形にフィットした自然な状態で就寝時に頭部から肩に掛けて支えることができるものである。しかしながら、首部の反りを保持することが不十分で、首部のトラブルによる変形を緩和するには不十分であると共に、慢性の首部痛を緩和するには十分でない。また、形状が複雑で、人によっては全く合わないおそれがある。
【先行技術文献】
【特許文献】
【０００７】
【特許文献１】  特開２０００−３５０６４９号公報
【発明の概要】
【発明が解決しようとする課題】
【０００８】  本発明は、前記課題を解決すべくなされたものであって、簡単な形状で、首の骨が反った人間の自然体の骨の状態で寝ることができ、顔を少し反らすことで、気道を確保し、イビキ防止と快適な睡眠ができ、むち打ち症や頸椎の痛み等の首部傷害の痛みとしびれを寝ている間に軽減させることができる枕を得ることを目的としている。
【課題を解決するための手段】
【０００９】  前記目的を達成するための請求項１に記載のイビキ防止と不眠改善枕は、首を支える首部載置部を高反発性の材料で構成し、該首部載置部の頂部を弧状に形成したことを特徴とする。【００１０】  枕の首部を支える首部載置部を、高反発性の部材で構成するにより、構造を簡単にし、使用時に首の部分を反った形状に維持することができる。これにより、人間の自然体の骨の形状に維持することができ、首の部分を喉の方へ沿った状態に維持することができる。そのため、睡眠中の首部の反った形状が変化するのを防ぐことができ、きれいな姿勢を保つことができると共に、むち打ち症の症状を和らげるのは勿論のこと、イビキのうるさい人、健常者も健康を得るために使うことができる。【００１１】  請求項２に記載の発明は、請求項１に記載のイビキ防止と不眠改善枕において、前記首部載置部は凸条をした凸条部に形成し、該凸条部の人体の上下方向に配置された平坦部を備え、前記平坦部は低反発性の材料から形成したことを特徴とする。【００１２】  このようにイビキ防止と不眠改善枕は、首部を支える凸条部を反発性の材料で形成し、肩部と頭部を支持するための凸条部の上下方向に配置された平坦部を低反発性で形成するにより、簡単な構造でありながら、使用時に首の部分を人間の自然体の骨の形状である喉の方へ反った形状に、確実に維持することができる。これにより、眠りを深くすることができると共に、むち打ち症の症状を和らげるのは勿論のこと、イビキ防止と無呼吸症候群を防ぐこともできる等のいろいろな病状を改善することができる。また、睡眠中の頸椎や胸椎の形状が変化するのを防ぐことができ、肩こりの改善など健常者も深い眠りを得るために使うことができる。【００１３】  請求項３に記載の発明は、請求項１又は２に記載のイビキ防止と不眠改善枕において、前記凸条部と前記平坦部の人体の上下方向にとった長さは、それぞれ８０〜１３０ｍｍと８０〜１２０ｍｍとしたことを特徴とする。【００１４】  このように不眠改善枕は、頸部を支持する凸条部と、肩部と頭部を支持する平坦部とを身体の上下方向でほぼ等しい寸法にすることにより、構造が簡単で使い勝手を良くできる。中央の凸条部と上下方向での両側の各平坦部はそれぞれほぼ等しい長さの８０〜１３０ｍｍ、８０〜１２０ｍｍとする。より好ましくは９０〜１１０ｍｍである。このように構成することにより、身体には、個人差はあるものの、このイビキ防止と不眠改善枕により、違和感なく快適に睡眠できる。この範囲を外れると首の骨の形状を良好に保てなくなり、快適な睡眠ができなくなる。【００１５】  請求項４に記載の発明は、請求項１ないし３に記載のイビキ防止と不眠改善枕において、前記凸条部の高さを８０〜１５０ｍｍとし、前記平坦部の厚さを３０〜７０ｍｍとし、前記凸条部を挟んだ前記平坦部の厚さの差を０〜４０ｍｍとしたことを特徴とする。【００１６】  このようにイビキ防止と不眠改善枕を構成することにより、首の部分を人間の自然体の骨の形状の喉の方へ反った形状に一層好適に維持することができる。そのため、健常者からむち打ち症や無呼吸症候群の人などの広範囲の人に適用することができる。高さがこの範囲を外れると首部を反った状態に維持す��ことができないおそれがある。【００１７】  本発明のようにイビキ防止と不眠改善枕を構成することにより、首の部分を人間の自然体の骨の形状である反った形状に好適に維持することができ、広範囲の人の使用が可能になる。
【発明の効果】
【００１８】  請求項１に記載の発明においては、高反発性の部材の首部載置部で首部を支えるので構造が簡単である。使用時に首の部分を反った形状に維持することができるため、確実に首の部分を人間の自然体の骨の形状の喉の方へ反った最適な形状に維持することができる。その結果、睡眠中に自然体の首部の骨の形状に戻すことができ、深い眠りを得ることができ、自然体の首部の骨の形状が変化して起こるむち打ち症による手のしびれの改善や無呼吸症を和らげることができる。【００１９】  請求項２に記載の発明においては、高反発性の部材の凸条部から構成されているので、首部載置部で確実に首部を支持し、低反発性の部材の平坦部で、頭部及び肩部を支えるので違和感なく快適に使用できる。これにより、一層快適に、睡眠中に首部の骨の形状を自然体の形状に維持するようにでき、むち打ち症の症状を和らげることができると共に、イビキのうるさい人、健常者も健康を維持するために使うことができる。【００２０】  請求項３に記載の発明においては、凸条部と平坦部の高さを材料の物性にもよるが、最適な寸法としているので、構造が簡単でありながら、使い勝手が良く、違和感なく快適に使用できる。しかも、首の部分を人間の自然体の骨の形状の喉の方へ反った最適な形状に維持することができる。【００２１】  請求項４に記載の発明においては、一層好適に、首の部分を人間の自然体の骨の形状の喉の方へ反った最適な形状に維持することができる。
【図面の簡単な説明】
【００２２】
【図１】イビキ防止と不眠改善枕の概略構成を示す斜視図である。
【図２】その使用状態を示す縦断面図である。
【図３】イビキ防止と不眠改善枕の他の例を示す縦断面図である。
【発明を実施するための形態】
【００２３】  以下、実施の形態に基づき、本発明は図面を参照しつつ説明する。
図１はイビキ防止と不眠改善枕の概略構成を示す斜視図、図２はその使用状態を示す縦断面図である。
【００２４】  この実施形態によるイビキ防止と不眠改善枕１はクッション体から構成され、側面から見て中央部に凸条部２が配置され、その両側（人体の上下方向に沿った）に一端側の一端平坦部３と他端側の他端平坦部４がそれぞれ配置されている。
【００２５】  凸条部２は、首部載置部を有しており（この実施の形態では、凸条部全体が首部を支持する首部載置部となっている）、高反発性の合成樹脂発泡体のクッション体からなり、成型機で発泡成型される。この凸条部２は、首部５を快適に支持するように高反発性の材料を使用し、その頂部２ａを弧状に形成している。凸条部２の突出開始部の人体の上下方向（枕本体幅方向に直角方向）の長さＬ０が９０〜１３０ｍｍ、弧状の基部の上下方向長さＬｔを８０〜１２０ｍｍとし、高さＨ０を８０〜１５０ｍｍとし、枕の幅Ｗを４００〜５００ｍｍとしている。これにより、凸条部が首部にフィットするようにその形状変形して支持する。
【００２６】  この発明で高反発性とは、手で押し込む等で荷重を加えると抵抗が大きく、変形が小さく、加重を除くと、元の形に戻るという形状復元性の高い性質をいう。変形が大きいと、頸椎８や胸椎９の形状が人間の自然体の形状から変化して、本願発明の効果が得られなくなる。例えば、プラスチックにおいては、ＪＩＳＫ６４００「軟質ウレタンフォーム試験方法」に記載された測定方法による数値で、見掛け密度５０〜２００ｋｇ／ｍ３で、硬さ１００Ｎ／３１４ｃｍ２以上で、２００〜３０００Ｎ／３１４ｃｍ２程度のものが該当する。
【００２７】  平坦部３（４）は、低反発性の合成樹脂発泡体から形成される。この実施の形態では、一端平坦部３と他端平坦部４は一体に成型機で発泡成型されている。一端平坦部３は、肩部６の形状に変形してその形状で支持し、他端平坦部４は、頭部７の形状に変形してその形状で支持するようにしている。一端平坦部３と他端平坦部４の身体の上下方向（枕本体幅方向に直角方向）の長さＬ１，Ｌ２はそれぞれが８０〜１３０ｍｍとし、厚さＨ１，Ｈ２はそれぞれが３０〜７０ｍｍとしている。平坦部３と平坦部４とを同一形状に形成すると、構造が一層簡単になり、使用時も便利である。
【００２８】  この発明で低反発性とは、手で押し込む等のように荷重を加えると、少し抵抗がある感じで沈み込み、手を離しても瞬時には元の形に戻らず、少し遅れて膨らみながら元に戻るような形状復元性の低い性質をいう。例えば、プラスチックフォームにおいては、ＪＩＳＫ６４００「軟質ウレタンフォーム試験方法」に記載された測定方法による数値で、見掛け密度１５〜５０ｋｇ／ｍ３で、硬さ２００Ｎ／３１４ｃｍ２程度のものが該当する。
【００２９】  上記のように構成されたイビキ防止と不眠改善枕１に利用者が仰向けに寝て、図２に示すように、凸条部２に首部５を載せると、一端平坦部３に肩部６が載り、他端平坦部４に頭部７が載る。すると、凸条部２は高反発性の材料から上下方向長さＬｔを８０〜１２０ｍｍとし、高さＨ０を８０〜１５０ｍｍとしているので、適度に首筋に沿って変形して首部５を支持する。また、一端平坦部３は、低反発材料から上下方向長さＬ１を８０〜１３０ｍｍとし、厚さＨ１を３０〜７０ｍｍとしているので、柔らかく背中の形状に沿って変形して肩部６を支持する。また、他端平坦部４は、低反発性の材料から上下方向長さＬ２を８０〜１３０ｍｍとし、厚さＨ２を３０〜７０ｍｍとしているので、柔らかく頭部の形状に沿って変形して頭部７を支持する。
【００３０】  凸条部２は高反発材料から、凸条部２の両側の両平坦部３、４は、低反発材料から構成している。そのため、首部５は比較的大きな反発力により、大きく沈み込むことなく支持される。一方、肩部６及び頭部７は低反発材料から構成している平坦部３、４で支持されるため、身体のそれらの形状に沿って大きな反発力を受けることなく沈み込んで支持される。このため首部５が上方に反ることになり、頸椎が上方に湾曲し、首部を人間の自然体の骨の形状に維持することができ、喉の方へ反った状態を維持することができる。
【００３１】  なお、本発明は前記実施の形態に限られない。例えば、前記説明においては、凸条部と平坦部はプラスチックから構成したが、凸条部の材料は他の材料、例えば天然素材や合成樹脂を単独で又は組み合わせで構成しても良い。また、凸条部を上下方向や幅方向に複数部材で構成しても良く、例えば、幅方向で首部載置部と付加部とから構成し、上下方向ではクッション部と固定部で構成する等としてもよい。最も重要なことは首部の形状を自然体の形状に保持することであり、それに加えて使い心地が良いということである。また、平坦部は一体成形により構成した例で説明したが、この例に限られないことは勿論である。例えば、図３に示すように、凸条部２の両側に平坦部３，４を突き合わせて配置する構成としても良い。
【００３２】  この発明のイビキ防止と不眠改善枕によれば、人間の自然の首の反りを寝る時も保てるので、むち打ち症の症状を和らげることができるのは勿論のこと、イビキのうるさい人、健常者も快適な睡眠を得ることができる。また、肩部を支持する一端平坦部を低反発性に形成したので、肩こりなどを和らげることが出来る。また、首の骨を反った状態に維持することで、綺麗な姿勢を保つことも出来るとともに、眠りが深くなる。さらに、無呼吸症候群を防ぐことが出来る。眠りが深くなると、安心感が生まれ、目覚めが良くなる。目覚めが良くなれば、睡眠時間が短くても深く寝たように感じる。また、寝るのが楽しくなる。眠りが楽しくなることで、いろいろな病状を改善できる。また、寸法を上記のようにしているので、多数の体型の人に好適に適用できる。
【符号の説明】
【００３３】１      イビキ防止と不眠改善枕
２      凸条部
３      一端平坦部
４      他端平坦部
５      首部
６      肩部
７      頭部
８      頸椎
９      胸椎
【図１】
2014151176.tif 000003
【図２】
2014151176.tif 000004
【図３】
2014151176.tif 000005